(57)【要約】【課題】樹脂製吸引管における装着部に対して先細り部の屈曲角度を自由に設定し保持可能な樹脂製吸引管を提供する。【解決手段】管状で樹脂製の装着部１０２と、管状でその一端側から他端側へ縮小する内径を有する樹脂製の先細り部１０４と、先細り部の一端側と装着部とを連通し、先細り部と装着部とを自在な角度で屈曲した状態に保持する樹脂製で管状の屈曲部１０６とを備えた。【選択図】図１
2020054645.tif 000002
【特許請求の範囲】
【請求項１】
管状で樹脂製の装着部（１０２）と、
管状でその一端側（１０４ａ）から他端側（１０４ｂ）へ縮小する内径を有する樹脂製の先細り部（１０４）と、
上記先細り部の上記一端側と上記装着部とを連通し、上記先細り部と上記装着部とを自在な角度で屈曲した状態に保持する管状で樹脂製の屈曲部（１０６）と、
を備えたことを特徴とする樹脂製吸引管。
【請求項２】
上記屈曲部は、蛇腹形状（１０６１）を有する、請求項１に記載の樹脂製吸引管。
【請求項３】
上記屈曲部は、自在継手（１６０−２、１６０−４）形態を有する、請求項１に記載の樹脂製吸引管。
【請求項４】
上記屈曲部と上記先細り部とは一体的に成形されている、請求項１又は２に記載の樹脂製吸引管。
【発明の詳細な説明】
【技術分野】
【０００１】
本発明は、医療現場で使用する樹脂製吸引管に関し、例えば耳鼻咽喉科にて使用される樹脂製吸引管に関する。
【背景技術】
【０００２】
医療現場、例えば耳鼻咽喉科にて鼻腔内へ挿入して鼻水等の吸引に使用される、嘴管と呼ばれ図４に示すような「へ字」状に屈曲した吸引管１０が存在する。該吸引管１０は、大別して、その一端側に装着部２を、その他端側に先細り部４を有し、装着部２と先細り部４とは、連結部分６を介して互いに一体的に成形されている。このような樹脂製吸引管１０は、耳鼻咽喉科では、装着部２側を吸引装置（不図示）に接続し、患者の鼻腔内へ先細り部４を挿入して鼻水等の吸引を行うように用いられる。装着部２及び先細り部４のそれぞれは直線的に延在するが、施術時において、先細り部４の先端４ａの視認性を高めるために、装着部２に対して先細り部４は、一定角度にて連結部分６にて屈曲している。
【０００３】
このような吸引管１０は、従来から職人の手作業によって金属管を加工して作製され、金属製のものが多い。金属製の吸引管１０は、高額なこと、繰返し使用に際する消毒の手間あるいはその完全性、職人の後継者不足等の課題があり、近年では、樹脂製で使い捨ての吸引管も市販されている。
【先行技術文献】
【特許文献】
【０００４】
【特許文献１】特開平０８−１１７２５７号公報
【発明の概要】
【発明が解決しようとする課題】
【０００５】
金属製及び樹脂製のいずれの吸引管においても、上述のように、施術時における視認性確保の目的から、装着部２に対して先細り部４を屈曲させており、その屈曲角度は、固定されている。したがって、屈曲角度設定の自由度は存在せず、無理な姿勢で施術が行われる場合も考えられる。
【０００６】
本発明は、このような問題点を解決するためになされたものであり、装着部に対する先細り部の屈曲角度を自由に設定し保持可能な樹脂製吸引管を提供することを目的とする。
【課題を解決するための手段】
【０００７】
上記目的を達成するため、本発明は以下のように構成する。
即ち、本発明の一態様における樹脂製吸引管は、管状で樹脂製の装着部と、
管状でその一端側から他端側へ縮小する内径を有する樹脂製の先細り部と、
上記先細り部の上記一端側と上記装着部とを連通し、上記先細り部と上記装着部とを自在な角度で屈曲した状態に保持する管状で樹脂製の屈曲部と、を備えたことを特徴とする。
【発明の効果】
【０００８】
上述の一態様によれば、管状で樹脂製の屈曲部を備えたことにより、先細り部と装着部とを自在な角度で屈曲した状態に保持することができる。
【図面の簡単な説明】
【０００９】
【図１】本発明の実施形態における医療用樹脂製吸引管を示す図である。
【図２】図１に示す医療用樹脂製吸引管における屈曲部の一つの変形例を示す図である。
【図３】図１に示す医療用樹脂製吸引管における屈曲部の他の変形例を示す図である。
【図４】従来の医療用樹脂製吸引管を示す図である。
【発明を実施するための形態】
【００１０】
本発明の実施形態である医療用樹脂製吸引管について、図を参照しながら以下に説明する。尚、各図において、同一又は同様の構成部分については同じ符号を付している。また、以下の説明が不必要に冗長になるのを避け当業者の理解を容易にするため、既によく知られた事項の詳細説明及び実質的に同一の構成に対する重複説明を省略する場合がある。また、以下の説明及び添付図面の内容は、特許請求の範囲に記載の主題を限定することを意図するものではない。
【００１１】
図１を参照して、実施形態における医療用樹脂製吸引管１００について説明する。
樹脂製吸引管１００は、大別して、装着部１０２と、先細り部１０４と、屈曲部１０６とを有し、樹脂材にてこれらが一体的に形成されたものである。図１に示す実施形態では、屈曲部１０６は、一例として蛇腹１０６１の形態の場合を示している。
【００１２】
一体的な形成方法としては、それぞれが別々に成形されて一体化されてもよいし、装着部１０２と屈曲部１０６とを一体成形して屈曲部１０６に先細り部１０４を接合して一体化してもよいし、あるいは屈曲部１０６と先細り部１０４とを一体成形して屈曲部１０６に装着部１０２を接合して一体化してもよい。また使用する樹脂材は、特に限定するものではなく、例えばポリエチレン、ポリプロピレン、あるいは塩化ビニル等が使用可能である。また、装着部１０２、先細り部１０４、及び屈曲部１０６の作製方法も特に限定するものではなく、射出成形法、ブロー成形法、あるいはパイプ押出法を使用することができる。
【００１３】
樹脂製の装着部１０２は、管状であり、吸引装置（不図示）側に接続される部分である。樹脂製の先細り部１０４は、管状であり、その一端側１０４ａから他端側１０４ｂへ縮小する内径を有する。樹脂製の屈曲部１０６は、管状であり、先細り部１０４の一端側１０４ａと装着部１０２とを連通し、先細り部１０４と装着部１０２とを自在な角度で屈曲した状態に設定し保持する部分である。
このように屈曲部１０６を有することで、樹脂製吸引管１００は、装着部１０２に対して先細り部１０４を、互いが直線状に配置される場合も含めて、自由な角度に屈曲させ維持することができる。
【００１４】
このような樹脂製吸引管１００は、例えば耳鼻咽喉科において、装着部１０２側を上述の吸引装置に接続し、患者の鼻腔内へ先細り部１０４を挿入して鼻水等の吸引を行うように用いられる。また樹脂製吸引管１００は、数種類の大きさのものがあり、中程度の大きさのものでは、一例として、高さＨが約１３０ｍｍ、先細り部１０４の長さＬが約９５ｍｍ、装着部１０２での開口内径ＩＤ１が約５ｍｍ、先細り部１０４の他端側１０４ｂでの開口内径ＩＤ２が約１ｍｍを有する。また図示では、装着部１０２は一定内径を有するが、開口から屈曲部１０６へ向けてテーパー状であってもよい。
【００１５】
実施形態では図１に示すように、屈曲部１０６は、蛇腹１０６１の形状を有している。蛇腹１０６１の形状は、一般的に認識されているように、折りたたみ、あるいは伸縮が可能な側壁形状であり、山折りと谷折りとを繰り返した構造の形状である。
但し、従来の樹脂製の吸引管１０における連結部分６に対して形状のみを似せて蛇腹にしただけでは、弾性が過剰であり、連結部分６を所望の設定角度に留めることができない。
そこで本実施形態では、屈曲部１０６を所望の設定角度に保持することを可能にするため、蛇腹１０６１の形成部分における屈曲部１０６の管厚を、装着部１０２における管厚に比べて薄く設定した。具体的には、屈曲部１０６の管厚を、装着部１０２における管厚の約２０％から約８０％、一例として約２５％薄くしている。これらの値は、出願人の実験、経験等によって得られた値である。
このように、屈曲部１０６の管厚を調整することで、蛇腹１０６１の形状の屈曲部１０６を所望の設定角度に保持することが可能になる。
【００１６】
このような管厚の相違に起因して、上述したように、装着部１０２、先細り部１０４、蛇腹１０６１の形状の屈曲部１０６を別々に成形してそれらを一体化してもよい。この場合、管厚は、装着部１０２、次に先細り部１０４、その次に屈曲部１０６の順で薄くし、屈曲部１０６が最も薄くなる。あるいはまた、先細り部１０４における管厚と、蛇腹１０６１の形状の屈曲部１０６における管厚とがほぼ同等になる場合には、先細り部１０４と屈曲部１０６とを一体的に成形してもよい。
【００１７】
一方、装着部１０２、先細り部１０４、屈曲部１０６を別々に成形してそれらを一体化する場合には、蛇腹１０６１の形状の屈曲部１０６のみ、あるいは先細り部１０４と共に、これらを塑性変形が容易な樹脂材にて成形してもよい。
【００１８】
蛇腹１０６１は、簡易な構造であり、かつ比較的成形が容易で、安価に作製可能な点で有利である。しかしながら屈曲部１０６の形態は、蛇腹１０６１の形状に限定されず、例えば図２及び図３を参照して以下に説明するような自在継手形態を採ることも可能である。
【００１９】
図２では、屈曲部１０６として、ボールジョイント１６０−２の形態を示しており、（ａ）にてその全体構成を、（ｂ）にはボールジョイント１６０−２を構成する一方のジョイント１６２１を、（ｃ）にはボールジョイント１６０−２を構成する他方のジョイント１６２２を、それぞれ示している。ジョイント１６２１は、例えば装着部１０２側に位置し、通路となる貫通穴を有する球状部１６２１ａを一端に有する。ジョイント１６２２は、例えば先細り部１０４側に位置し、球状部１６２１ａを回動自在に嵌合し球面状の内面を有する凹部１６２２ａを一端に有する。またジョイント１６２１は、例えば装着部１０２の一部として成形してもよいし、別途成形して装着部１０２に接合してもよい。同様に、ジョイント１６２２は、例えば先細り部１０４の一部として成形してもよいし、別途成形して先細り部１０４に接合してもよい。
このようなボールジョイント１６０−２では、凹部１６２２ａに球状部１６２１ａを嵌合することで、装着部１０２と先細り部１０４との屈曲角度を自由に設定し保持することができる。
【００２０】
図３では、屈曲部１０６として、斜めジョイント１６０−４の形態を示している。斜めジョイント１６０−４を構成する一方のジョイント１６４１は、例えば装着部１０２側に位置し、装着部１０２の通路に対して管を斜めに切断した端部を有する。該端部は、装着部１０２の内周面において斜めの端部端面に沿って係合凹部１６４１ａを有する。斜めジョイント１６０−４を構成する他方のジョイント１６４２は、例えば先細り部１０４側に位置し、先細り部１０４の通路に対して管を斜めに切断した端部を有する。該端部は、該端部から突出し係合凹部１６４１ａと摺動可能に係合する係合凸部１６４２ａを有する。またジョイント１６４１は、例えば装着部１０２の一部として成形してもよいし、別途成形して装着部１０２に接合してもよい。同様に、ジョイント１６４２は、例えば先細り部１０４の一部として成形してもよいし、別途成形して先細り部１０４に接合してもよい。
このような斜めジョイント１６０−４では、係合凹部１６４１ａに係合凸部１６４２ａを係合させることで、装着部１０２と先細り部１０４との屈曲角度を変更することができる。
【００２１】
以上説明したように、実施形態における樹脂製吸引管１００によれば、屈曲部１０６を有することで、装着部１０２に対して先細り部１０４を自由な角度に屈曲させ維持することが可能になる。したがって施術時において、先細り部１０４の他端側（先端側）１０４ｂの視認性を、従来に比べてより容易に確保することが可能となる。
【産業上の利用可能性】
【００２２】
本発明は、医療現場で使用する樹脂製吸引管に適用可能である。
【符号の説明】
【００２３】
１００…樹脂製吸引管、１０２…装着部、１０４…先細り部、
１０４ａ…一端側、１０４ｂ…他端側、１０６…屈曲部、
１０６１…蛇腹、１６０−２…ボールジョイント、１６０−４…斜めジョイント。
【図１】
2020054645.tif 000003
【図２】
2020054645.tif 000004
【図３】
2020054645.tif 000005
【図４】
2020054645.tif 000006